(57)【特許請求の範囲】
【請求項１】
スライドモジュールであって、
前記モジュールは、
第１スライドレールを有する第１スライド部材であって、前記第１スライドレールは、前記第１スライド部材が長手方向にスライドすることを可能にする、第１スライド部材と、
第２スライドレールを有する第２スライド部材であって、前記第２スライドレールは、前記第２スライド部材が幅方向にスライドすることを可能にする、第２スライド部材と、
前記第１スライド部材と前記第２スライド部材との間に配置されるガイド部材であって、前記長手方向における前記第１スライド部材の移動をガイドし、前記幅方向における前記第２スライド部材の移動をガイドするガイド部材と
を備え、
前記第１スライドレールの両端部には、前記第２スライド部材が前記幅方向に移動するときに前記第２スライドレールが通過する第１通路部が形成されており、
前記第２スライドレールの両端部には、前記第１スライド部材が前記長手方向に移動するときに前記第１スライドレールが通過する第２通路部が形成されている、モジュール。
【請求項２】
前記ガイド部材は、前記第１スライド部材が前記長手方向に移動することをガイドする第１ガイド部と、前記第２スライド部材が前記幅方向に移動することをガイドする第２ガイド部とを備える、請求項１に記載のモジュール。
【請求項３】
前記第１スライド部材が前記長手方向に移動するために前記第１ガイド部が前記第１スライドレールに挿入され、前記第２スライド部材が前記幅方向に移動するために前記第２ガイド部が前記第２スライドレールに挿入される、請求項２に記載のモジュール。
【請求項４】
前記第１スライドレールは、前記第１スライド部材の両端部から下方に突出するように形成される、請求項３に記載のモジュール。
【請求項５】
前記第１通路部は、前記第１スライドレールの両端部を前記第２スライドレールの突出した部分の幅だけ除去することにより形成される、請求項１に記載のモジュール。
【請求項６】
前記第１スライドレールは、前記第２スライド部材が前記幅方向に移動するときに前記第１スライド部材が前記長手方向に移動することを防止するように前記第２スライドレールに係合される、請求項１に記載のモジュール。
【請求項７】
前記第１スライドレールには、前記第１ガイド部との摩擦を低減させる緩衝部材が装着される、請求項３に記載のモジュール。
【請求項８】
前記第２スライドレールは、前記第２スライド部材の幅方向の両端部から上方に突出するように形成される、請求項３に記載のモジュール。
【請求項９】
前記第２通路部は、前記第２スライドレールの両端部を前記第１スライドレールの突出した部分の幅だけ除去することにより形成される、請求項１に記載のモジュール。
【請求項１０】
前記第２スライドレールは、前記第１スライド部材が前記長手方向に移動するときに前記第２スライド部材が前記幅方向に移動することを防止するように前記第１スライドレールに係合される、請求項１に記載のモジュール。
【請求項１１】
前記第２スライドレールには、前記第２ガイド部との摩擦を低減させる緩衝部材が装着される、請求項３に記載のモジュール。
【請求項１２】
前記第１スライド部材と前記ガイド部材との間には、前記第１スライド部材が前記長手方向に押されると、前記第１スライド部材が自動的に摺動することを可能にするスプリングユニットが設置される、請求項１に記載のモジュール。
【請求項１３】
前記第２スライド部材と前記ガイド部材との間には、前記第２スライド部材が前記幅方向に押されると、前記第２スライド部材が自動的に摺動することを可能にするスプリングユニットが設置される、請求項１に記載のモジュール。
【請求項１４】
前記第１スライド部材と前記ガイド部材の間には、前記長手方向における前記第１スライド部材の摺動をガイドするガイド部が設置される、請求項１に記載のモジュール。
【請求項１５】
前記ガイド部は、前記第１スライド部材の下面の長手方向に形成されるガイドレールと、前記ガイド部材の上面に回転可能に装着されて前記ガイドレールに沿って移動するガイドローラとを備える、請求項１４に記載のモジュール。
【請求項１６】
前記第２スライド部材と前記ガイド部材の間には、前記第２スライド部材を閉じた位置および／または開いた位置でロックするロック部が形成される、請求項１に記載のモジュール。
【請求項１７】
前記ロック部は、前記ガイド部材に装着されるハウジングと、前記ハウジングに移動可能に挿入されるロックボールと、前記ロックボールに弾性力を提供するスプリングと、前記第２スライド部材に形成されるロックホールであって、前記ロックホールに前記ロックボールが挿入されて係合される、ロックホールとを備える、請求項１６に記載のモジュール。
【請求項１８】
前記ロックホールは、前記第２スライド部材が閉じた状態であるときに前記ロックボールが挿入される第１ロックホールと、前記第１スライド部材が開いた状態であるときに前記ロックボールが挿入される第２ロックホールとを備える、請求項１７に記載のモジュール。
【請求項１９】
携帯端末機であって、
前記端末機は、
第１筐体と、
前記第１筐体に長手方向および幅方向に移動可能に連結される第２筐体と、
前記第１筐体と前記第２筐体との間に設置されて前記第１筐体が前記長手方向および前記幅方向に移動するようにガイドするスライドモジュールと
を備え、
前記スライドモジュールは、
第１スライドレールを有する第１スライド部材であって、前記第１スライドレールは、前記第１スライド部材が長手方向にスライドすることを可能にする、第１スライド部材と、
第２スライドレールを有する第２スライド部材であって、前記第２スライドレールは、前記第２スライド部材が幅方向にスライドすることを可能にする、第２スライド部材と、
前記第１スライド部材と前記第２スライド部材との間に配置されるガイド部材であって、前記長手方向における前記第１スライド部材の移動をガイドし、前記幅方向における前記第２スライド部材の移動をガイドするガイド部材と
を備え、
前記第１スライドレールの両端部には、前記第２スライド部材が前記幅方向に移動するときに前記第２スライドレールが通過する第１通路部が形成されており、
前記第２スライドレールの両端部には、前記第１スライド部材が前記長手方向に移動するときに前記第１スライドレールが通過する第２通路部が形成されている、端末機。
【請求項２０】
前記ガイド部材は、前記第１スライド部材が前記長手方向に移動することをガイドする第１ガイド部と、前記第２スライド部材が前記幅方向に移動することをガイドする第２ガイド部とを備える、請求項１９に記載の端末機。
【請求項２１】
前記第１スライド部材が前記長手方向に移動するために前記第１ガイド部が前記第１スライドレールに挿入され、前記第２スライド部材が前記幅方向に移動するために前記第２ガイド部が前記第２スライドレールに挿入される、請求項１９に記載の端末機。
【請求項２２】
前記第１スライドレールは、前記第１スライド部材の両端部から下方に突出するように形成される、請求項２１に記載の端末機。
【請求項２３】
前記第１通路部は、前記第１スライドレールの両端部を前記第２スライドレールの突出した部分の幅だけ除去することにより形成される、請求項１９に記載の端末機。
【請求項２４】
前記第１スライドレールは、前記第２スライド部材が前記幅方向に移動するときに前記第１スライド部材が前記長手方向に移動することを防止するように前記第２スライドレールに係合される、請求項２１に記載の端末機。
【請求項２５】
前記第１スライドレールには、前記第１ガイド部との摩擦を低減させる緩衝部材が装着される、請求項２１に記載の端末機。
【請求項２６】
前記第２スライドレールは、前記第２スライド部材の幅方向の両端部から上方に突出するように形成される、請求項２１に記載の端末機。
【請求項２７】
前記第２通路部は、前記第２スライドレールの両端部を前記第１スライドレールの突出した部分の幅だけ除去することにより形成される、請求項１９に記載の端末機。
【請求項２８】
前記第２スライドレールは、前記第１スライド部材が前記長手方向に移動するときに前記第２スライド部材が前記幅方向に移動することを防止するように前記第１スライドレールに係合される、請求項２６に記載の端末機。
【請求項２９】
前記第２スライドレールには、前記第２ガイド部との摩擦を低減させる緩衝部材が装着される、請求項２１に記載の端末機。
【請求項３０】
前記第１スライド部材と前記ガイド部材との間には、前記第１スライド部材が前記長手方向に押されると、前記第１スライド部材が自動的に摺動することを可能にするスプリングユニットが設置される、請求項１９に記載の端末機。
【請求項３１】
前記第２スライド部材と前記ガイド部材との間には、前記第２スライド部材が前記幅方向に押されると、前記第２スライド部材が自動的に摺動することを可能にするスプリングユニットが設置される、請求項１９に記載の端末機。
【請求項３２】
前記第１スライド部材と前記ガイド部材の間には、前記長手方向における前記第１スライド部材の摺動をガイドするガイド部が設置される、請求項１９に記載の端末機。
【請求項３３】
前記ガイド部は、前記第１スライド部材の下面の長手方向に形成されるガイドレールと、前記ガイド部材の上面に回転可能に装着されて前記ガイドレールに沿って移動するガイドローラとを備える、請求項３２に記載の端末機。
【請求項３４】
前記第２スライド部材と前記ガイド部材の間には、前記第２スライド部材を閉じた位置および／または開いた位置でロックするロック部が形成される、請求項１９に記載の端末機。
【請求項３５】
前記ロック部は、前記ガイド部材に装着されるハウジングと、前記ハウジングに移動可能に挿入されるロックボールと、前記ロックボールに弾性力を提供するスプリングと、前記第２スライド部材に形成されるロックホールであって、前記ロックホールに前記ロックボールが挿入されて係合される、ロックホールとを備える、請求項３４に記載の端末機。
【請求項３６】
前記ロックホールは、前記第２スライド部材が閉じた状態であるときに前記ロックボールが挿入される第１ロックホールと、前記第１スライド部材が開いた状態であるときに前記ロックボールが挿入される第２ロックホールとを備える、請求項３５に記載の端末機。
【発明の詳細な説明】
【技術分野】
【０００１】
本発明はスライドモジュールを有する携帯端末機に関し、より詳しくは、端末機を長手方向と幅方向に開放し得るスライドモジュール及びそのスライドモジュールを有する携帯端末機に関する。
【背景技術】
【０００２】
一般に、携帯端末機は、入力ボタン領域を開閉するように本体にフリップが回転可能に装着されるフリップタイプや、ダイヤルボタン及びメニューボタンなどが備えられる本体と該本体に回転可能に装着されてＬＣＤが取り付けられる蓋部から構成される折り畳みタイプなどに区分され、最近は、消費者の多様な欲求を充足させるために、ＬＣＤが取り付けられる本体に、ダイヤルボタン及びメニューボタンが備えられるカバーが摺動方式で開閉されるスライドモジュールを有する携帯端末機の使用が増加している。
【０００３】
図１２は、従来のスライドモジュールの正面図である。
【０００４】
従来のスライドモジュールは、第１筐体（図示せず）に固定される第１スライド部材１１０と、第２筐体（図示せず）に固定されて前記第１スライド部材１１０に摺動可能に装着される第２スライド部材１２０と、から構成される。
【０００５】
前記第１スライド部材１１０の両側端部には長手方向にそれぞれ第１スライドレール１１２が形成され、前記第２スライド部材１２０には前記第１スライドレール１１２に挿入されて該第１スライドレール１１２に沿って移動する第２スライドレール１２２が形成される。
【０００６】
このように構成されるスライドモジュールは、第１筐体を長手方向に移動させると、前記第１筐体に連結された第１スライド部材１１０が第２スライド部材１２０に対して相対的に長手方向に摺動する。
【発明の開示】
【発明が解決しようとする課題】
【０００７】
しかし、前記のように構成される従来のスライドモジュールは第１スライド部材が長手方向にのみ摺動するために、多様な使用条件を充足し得ないという問題点がある。
【０００８】
本発明は従来の問題点に鑑みてなされたもので、スライドモジュールが長手方向と幅方向に移動し得るスライドモジュール及びそのスライドモジュールを有する携帯端末機を提供することを目的とする。
【０００９】
また、スライドモジュールが長手方向に移動する時には幅方向への移動を制限し、幅方向に移動する時には長手方向への移動を制限することにより、使用に便利なスライドモジュール及びそのスライドモジュールを有する携帯端末機を提供することを目的とする。
【課題を解決するための手段】
【００１０】
前記課題を実現するために、本発明によるスライドモジュールは、長手方向に移動する第１スライド部材と、幅方向に移動する第２スライド部材と、前記第１スライド部材と第２スライド部材間に配置され、前記第１スライド部材が長手方向に移動するようにガイドし、前記第２スライド部材が幅方向に移動するようにガイドするガイド部材と、から構成されることを特徴とする。
【００１１】
前記ガイド部材には、その長手方向に前記第１スライド部材を移動可能にガイドする第１ガイド部が形成され、その幅方向に前記第２スライド部材を移動可能にガイドする第２ガイド部が形成されることを特徴とする。
【００１２】
前記第１スライド部材には、その長手方向に前記第１ガイド部が挿入されて移動する第１スライドレールが形成され、前記第２スライド部材には、その幅方向に前記第２ガイド部が挿入されて移動する第２スライドレールが形成されることを特徴とする。
【００１３】
本発明による携帯端末機は、第１筐体と、該第１筐体に長手方向及び幅方向に移動可能に連結される第２筐体と、前記第１筐体と第２筐体の間に設置され、前記第１筐体が長手方向及び幅方向に移動するようにガイドするスライドモジュールと、から構成されることを特徴とする。
【００１４】
上記目的を達成するために、本発明は、例えば、以下の手段を提供する。
（項目１）
長手方向に移動する第１スライド部材と、
幅方向に移動する第２スライド部材と、
上記第１スライド部材と第２スライド部材間に配置され、上記第１スライド部材が長手方向に移動するようにガイドし、上記第２スライド部材が幅方向に移動するようにガイドするガイド部材と、から構成されることを特徴とするスライドモジュール。
（項目２）
上記ガイド部材には、その長手方向に上記第１スライド部材を移動可能にガイドする第１ガイド部が形成され、その幅方向に上記第２スライド部材を移動可能にガイドする第２ガイド部が形成されることを特徴とする項目１に記載のスライドモジュール。
（項目３）
上記第１スライド部材には、その長手方向に上記第１ガイド部が挿入されて移動する第１スライドレールが形成され、上記第２スライド部材には、その幅方向に上記第２ガイド部が挿入されて移動する第２スライドレールが形成されることを特徴とする項目２に記載のスライドモジュール。
（項目４）
上記第１スライドレールは、上記第１スライド部材の長手方向の両側端部から下方に突設されることを特徴とする項目３に記載のスライドモジュール。
（項目５）
上記第１スライドレールの両側端部には、上記第２スライド部材が幅方向に移動する時に上記第２スライドレールが通過する通路部が形成されることを特徴とする項目４に記載のスライドモジュール。
（項目６）
上記通路部は、上記第１スライドレールの両側端部が上記第２スライドレールの突出した幅だけ除去された形態で形成されることを特徴とする項目５に記載のスライドモジュール。
（項目７）
上記第１スライドレールは、上記第２スライド部材が幅方向に移動する時に上記第１スライド部材が長手方向に移動することを防止するように上記第２スライドレールに係合することを特徴とする項目５に記載のスライドモジュール。
（項目８）
上記第１スライドレールには、上記第１ガイド部との摩擦を低減させる緩衝部材が装着されることを特徴とする項目３に記載のスライドモジュール。
（項目９）
上記第２スライドレールは、上記第２スライド部材の幅方向の両側端部から上方に突設されることを特徴とする項目３に記載のスライドモジュール。
（項目１０）
上記第２スライドレールの両側端部には、上記第１スライド部材が長手方向に移動する時に上記第１スライドレールが通過する通路部が形成されることを特徴とする項目９に記載のスライドモジュール。
（項目１１）
上記通路部は、上記第２スライドレールの両側端部が上記第１スライドレールの突出した幅だけ切開された形態で形成されることを特徴とする項目１０に記載のスライドモジュール。
（項目１２）
上記第２スライドレールは、上記第１スライド部材が長手方向に移動する時に上記第２スライド部材が幅方向に移動することを防止するように上記第１スライドレールに係合することを特徴とする項目１０に記載のスライドモジュール。
（項目１３）
上記第２スライドレールには、上記第２ガイド部との摩擦を低減させる緩衝部材が装着されることを特徴とする項目３に記載のスライドモジュール。
（項目１４）
上記第１スライド部材とガイド部材の間には、上記第１スライド部材を長手方向に押すと、その第１スライド部材が自動的に摺動するようにするスプリングユニットが設置されることを特徴とする項目１に記載のスライドモジュール。
（項目１５）
上記第２スライド部材とガイド部材の間には、上記第２スライド部材を幅方向に押すと、その第２スライド部材が自動的に摺動するようにするスプリングユニットが設置されることを特徴とする項目１に記載のスライドモジュール。
（項目１６）
上記第１スライド部材とガイド部材の間には、上記第１スライド部材の長手方向に摺動可能にガイドするガイド部が設置されることを特徴とする項目１に記載のスライドモジュール。
（項目１７）
上記ガイド部は、上記第１スライド部材の下面の長手方向に形成されるガイドレールと、上記ガイド部材の上面に回転可能に装着されて上記ガイドレールを移動するガイドローラと、から構成されることを特徴とする項目１６に記載のスライドモジュール。
（項目１８）
上記第２スライド部材と上記ガイド部材の間には、上記第２スライド部材が閉じた位置及び／又は開いた位置をロックするロック部が形成されることを特徴とする項目１に記載のスライドモジュール。
（項目１９）
上記ロック部は、上記ガイド部材に装着されるハウジングと、そのハウジングに移動可能に挿入されるロックボールと、そのロックボールを付勢するスプリングと、上記第２スライド部材に形成されて上記ロックボールが挿入されて係合するロックホールと、から構成されることを特徴とする項目１８に記載のスライドモジュール。
（項目２０）
上記ロックホールは、上記第２スライド部材が閉じた状態である時に上記ロックボールが挿入される第１ロックホールと、上記第１スライド部材が開いた状態である時に上記ロックボールが挿入される第２ロックホールと、から構成されることを特徴とする項目１９に記載のスライドモジュール。
（項目２１）
第１筐体と、
その第１筐体に長手方向及び幅方向に移動可能に連結される第２筐体と、
上記第１筐体と第２筐体の間に設置されて上記第１筐体が長手方向及び幅方向に移動するようにガイドするスライドモジュールと、を含むことを特徴とする携帯端末機。
（項目２２）
上記スライドモジュールは、上記第１筐体に固定されて長手方向に移動する第１スライド部材と、
上記第２筐体に固定されて幅方向に移動する第２スライド部材と、
上記第１スライド部材が長手方向に移動するようにガイドし、上記第２スライド部材が幅方向に移動するようにガイドするガイド部材と、から構成されることを特徴とする項目２１に記載の携帯端末機。
（項目２３）
上記ガイド部材には、その長手方向に上記第１スライド部材を移動可能にガイドする第１ガイド部が形成され、その幅方向に上記第２スライド部材を移動可能にガイドする第２ガイド部が形成されることを特徴とする項目２２に記載の携帯端末機。
（項目２４）
上記第１スライド部材には、その長手方向に上記第１ガイド部が挿入されて移動する第１スライドレールが形成され、上記第２スライド部材には、その幅方向に上記第２ガイド部が挿入されて移動する第２スライドレールが形成されることを特徴とする項目２２に記載の携帯端末機。
（項目２５）
上記第１スライドレールは、上記第１スライド部材の長手方向の両側端部から下方に突設されることを特徴とする項目２４に記載の携帯端末機。
（項目２６）
上記第１スライドレールの両側端部には、上記第２スライド部材が幅方向に移動する時に上記第１スライドレールが通過する通路部が形成されることを特徴とする項目２５に記載の携帯端末機。
（項目２７）
上記通路部は、上記第１スライドレールの両側端部が上記第２スライドレールの突出した幅だけ除去された形態で形成されることを特徴とする項目２６に記載の携帯端末機。
（項目２８）
上記第１スライドレールは、上記第２スライド部材が幅方向に移動する時に上記第１スライド部材が長手方向に移動することを防止するように上記第２スライドレールに係合することを特徴とする項目２４に記載の携帯端末機。
（項目２９）
上記第１スライドレールには、上記第１ガイド部との摩擦を低減させる緩衝部材が装着されることを特徴とする項目２４に記載の携帯端末機。
（項目３０）
上記第２スライドレールは、上記第２スライド部材の幅方向の両側端部から上方に突設されることを特徴とする項目２４に記載の携帯端末機。
（項目３１）
上記第２スライドレールの両側端部には、上記第１スライド部材が長手方向に移動する時に第１スライドレールが通過する通路部が形成されることを特徴とする項目３０に記載の携帯端末機。
（項目３２）
上記通路部は、上記第２スライドレールの両側端部が上記第１スライドレールの突出した幅だけ切開された形態で形成されることを特徴とする項目３１に記載の携帯端末機。
（項目３３）
上記第２スライドレールは、上記第１スライド部材が長手方向に移動する時に上記第２スライド部材が幅方向に移動することを防止するように上記第１スライドレールに係合することを特徴とする項目３０に記載の携帯端末機。
（項目３４）
上記第２スライドレールには、上記第２ガイド部との摩擦を低減させる緩衝部材が装着されることを特徴とする項目２４に記載の携帯端末機。
（項目３５）
上記第１スライド部材とガイド部材の間には、上記第１スライド部材を長手方向に押すと、その第１スライド部材が自動的に摺動するようにするスプリングユニットが設置されることを特徴とする項目２２に記載の携帯端末機。
（項目３６）
上記第２スライド部材とガイド部材の間には、上記第２スライド部材を幅方向に押すと、その第２スライド部材が自動的に摺動するようにするスプリングユニットが設置されることを特徴とする項目２２に記載の携帯端末機。
（項目３７）
上記第１スライド部材とガイド部材の間には、上記第１スライド部材の長手方向に摺動可能にガイドするガイド部が設置されることを特徴とする項目２２に記載の携帯端末機。
（項目３８）
上記ガイド部は、上記第１スライド部材の下面の長手方向に形成されるガイドレールと、上記ガイド部材の上面に回転可能に装着されて上記ガイドレールを移動するガイドローラと、から構成されることを特徴とする項目３７に記載の携帯端末機。
（項目３９）
上記第２スライド部材と上記ガイド部材の間には、上記第２スライド部材が閉じた位置及び／又は開いた位置をロックするロック部が形成されることを特徴とする項目２２に記載の携帯端末機。
（項目４０）
上記ロック部は、上記ガイド部材に装着されるハウジングと、そのハウジングに移動可能に挿入されるロックボールと、そのロックボールを付勢するスプリングと、上記第２スライド部材に形成されて上記ロックボールが挿入されて係合するロックホールと、から構成されることを特徴とする項目３９に記載の携帯端末機。
（項目４１）
上記ロックホールは、上記第２スライド部材が閉じた状態である時に上記ロックボールが挿入される第１ロックホールと、上記第１スライド部材が開いた状態である時に上記ロックボールが挿入される第２ロックホールと、から構成されることを特徴とする項目４０に記載の携帯端末機。
【発明の効果】
【００１５】
本発明によるスライドモジュールは、ガイド部材と該ガイド部材に沿って長手方向に摺動する第１スライド部材と、前記ガイド部材に沿って幅方向に摺動する第２スライド部材と、から構成され、スライドモジュールが長手方向だけではなく、幅方向に移動し得るので、端末機が多様な機能を実行し得るという効果がある。
【００１６】
また、第１スライド部材が長手方向に移動する時に第２スライド部材が幅方向に移動することを制限し、前記第２スライド部材が幅方向に移動する時に第１スライド部材が長手方向に移動することを制限するので、使用が便利であるという効果がある。
【発明を実施するための最良の形態】
【００１７】
以下、添付図面を参照して本発明の実施形態について説明する。
【００１８】
図１は本発明による携帯端末機が長手方向に移動した状態を示す斜視図であり、図２は本発明による携帯端末機が幅方向に移動した状態を示す斜視図であり、図３は本発明によるスライドモジュールの斜視図であり、図４は本発明によるスライドモジュールの分解斜視図であり、図５は図３のＩＶ‐ＩＶ線断面図であり、図６は図３のＶ‐Ｖ線断面図である。
【００１９】
本発明による携帯端末機は、ディスプレイ４を有する第１筐体２と、該第１筐体２と長手方向及び幅方向に摺動可能に連結され、キーパッド８を有する第２筐体６と、前記第１筐体２と第２筐体６間に設置されて前記第１筐体２を長手方向及び幅方向に摺動可能にガイドするスライドモジュールと、から構成される。
【００２０】
前記スライドモジュールは、前記第１筐体に固定されて長手方向に摺動する第１スライド部材１０と、前記第２筐体に固定されて幅方向に摺動する第２スライド部材２０と、前記第１スライド部材１０と第２スライド部材２０間に配置されて前記第１スライド部材１０が長手方向に移動するようにガイドして前記第２スライド部材２０が幅方向に移動するようにガイドするガイド部材３０と、から構成される。
【００２１】
前記ガイド部材３０は、プレート状のボディ３２と、該ボディ３２の長手方向の両側端部に形成されて第１スライド部材１０を摺動可能にガイドする第１ガイド部３４と、前記ボディ３２の幅方向の両側端部に形成されて前記第２スライド部材２０を摺動可能にガイドする第２ガイド部３６と、から構成される。
【００２２】
ここで、前記第１ガイド部３４は、ボディ３２の長手方向の両側端部で所定幅だけ上方に直角に折曲され、再び外側に直角に折曲された形態で形成される。
【００２３】
また、前記第２ガイド部３６は前記ボディ３２の幅方向の両側端部に前記ボディ３２と水平に形成される。
【００２４】
前記第１スライド部材１０は、前記第１筐体の下面にボルト締結するための複数の締結孔１４が形成されるプレート状のボディ１２と、該ボディ１２の長手方向の両側端部に形成されて前記ガイド部材３０の第１ガイド部３４に摺動可能に挿入される第１スライドレール１６と、から構成される。
【００２５】
ここで、前記第１スライドレール１６は前記ボディ１２の長手方向の両側端部が下方に折曲されて形成される。
【００２６】
このような前記第１スライドレール１６には、第１ガイド部３４に沿って摺動する時、接触摩擦を低減させて衝撃を吸収し、前記第１ガイド部３４に沿ってよりスムーズに摺動可能にする緩衝部材１８が装着される。
【００２７】
前記緩衝部材１８は緩衝作用を有するゴム材質で形成され、前記第１スライドレール１６に挿入結合方式で固定され、その内側面の長手方向に前記第１ガイド部３４が挿入される。
【００２８】
前記第２スライド部材２０には、第２筐体の上面にボルト締結される複数の締結孔２４が形成されるプレート状のボディ２２と、該ボディ２２の幅方向の両側端部に形成されて前記ガイド部材３０の第２ガイド部３６が摺動可能に挿入される第２スライドレール２６が形成される。
【００２９】
前記第２スライドレール２６は第２スライド部材２０の幅方向の両側端部に上方に直角に２度折曲されて形成される。前記第２スライド部材２６は前記第２ガイド部３６に沿って幅方向に摺動する。
【００３０】
前記ガイド部材３０の４つの角部には、第１スライド部材が長手方向に移動する時に第１スライドレール１６が通過し、第２スライド部材２０が幅方向に移動する時に前記第２スライドレール２６が通過する通路部３８が形成される。
【００３１】
前記第１スライド部材１０の第１スライドレール１６の両側端部には、前記第２スライド部材１０が幅方向に移動する時に前記第２スライド部材２０の第２ガイドレール２６が通過する通路部４０が形成される。
【００３２】
該通路部４０は、一対の第１スライドレールのうち前記第２スライド部材２０が摺動する方の第１スライドレール１６の両側端部が前記第２スライドレール２６の突出した幅だけ除去された形態で形成され、前記第２スライド部材２０が幅方向に摺動する時に第２スライドレール２６が前記第１スライドレール１６に係合することを防止する。
【００３３】
また、前記第２スライド部材２０が幅方向に摺動する時に、前記第１スライドレール１６の通路部４０が形成された両側端部がそれぞれ前記第２スライドレール２６の内側に係合する。従って、前記第２スライド部材２０が幅方向に移動する時に、前記第１スライドレール１６が前記第２スライドレール２６に係合するので、前記第１スライド部材１０が長手方向に移動することを防止することができる。
【００３４】
前記第２スライドレール２６にも、前記第１スライドレール１６に適用された緩衝部材１８と同一の緩衝部材を適用することができる。
【００３５】
また、前記第２スライド部材２０の第２スライドレール２６の端部には、前記第１スライド部材１０が長手方向に移動する時に第１ガイドレール１６が第２スライドレール２６に係合することを防止するための通路部４２が形成される。
【００３６】
前記通路部４２は、一対の第２スライドレール２６の両側端部が前記第１スライドレール１６の突出した幅だけ切開された形態で形成され、前記第１スライド部材１０が長手方向に摺動する時に前記第１スライドレール１６が第２スライドレール２６に係合することを防止する。
【００３７】
また、前記第１スライド部材１０が長手方向に摺動する時に第２スライドレール２６の通路部４２が形成された両側端部がそれぞれ第１スライドレール１６の内側に係合する。従って、前記第１スライド部材１０が長手方向に移動する時には前記第２スライドレール２６が前記第１スライドレール１６に係合するので、前記第２スライド部材２０が幅方向に移動することを防止することができる。
【００３８】
前記第１スライド部材１０とガイド部材３０の間には、前記第１スライド部材１０を長手方向に押すと、前記第１スライド部材１０が自動的に摺動するようにするスプリングユニット４４が設置される。
【００３９】
該スプリングユニット４４は、前記第１スライド部材１０に回転可能に連結される第１ロッド４６と、該第１ロッド４６に長手方向に移動可能に連結されて前記ガイド部材３０に回転可能に連結される第２ロッド４８と、前記第１ロッド４６と第２ロッド４８の間に設置されて付勢するスプリング５０と、から構成される。
【００４０】
このようなスプリングユニット４４は、前記第１スライド部材１０を長手方向に押して前記第１スライド部材１０が死点を通過すると、前記スプリング５０の弾性力により前記第１スライド部材１０が自動的に摺動する。
【００４１】
このようなスプリングユニット４４は、第２スライド部材２０とガイド部材３０の間に設置され、記第２スライド部材２０が幅方向に移動する時に付勢して第２スライド部材２０を自動的に摺動させることもできる。
【００４２】
前記第１スライド部材１０とガイド部材３０の間には、前記第１スライド部材１０が長手方向に摺動する時に発生する揺れを防止して直線移動するようにガイドするガイド部５２が設置される。
【００４３】
該ガイド部５２は、前記第１スライド部材１０の下面に長手方向に形成されるガイドレール５４と、前記ガイド部材３０の上面に回転可能に装着されて前記ガイドレール５４に沿って移動するガイドローラ５６と、から構成される。
【００４４】
このようなガイド部５２は、前記第１スライド部材１０が長手方向に移動する時に前記ガイドローラ５６がガイドレール５４に沿って回転しながら移動するために、前記第１スライド部材１０が揺れることを防止することができ、正確に直線移動し得るようにする。
【００４５】
前記第２スライド部材２０とガイド部材３０の間には、前記第２スライド部材２０が閉じた状態又は開いた状態である時に、前記第２スライド部材２０が現在の状態を維持し得るようにロックするロック部６０が形成される。
【００４６】
該ロック部６０は図５に示すように、前記ガイド部材３０に装着されるハウジング６２と、該ハウジング６２に上下方向に移動可能に挿入されるロックボール６４と、該ロックボール６４を付勢するスプリング６６と、前記第２スライド部材２０の幅方向に所定間隔を置いて形成され、前記ロックボール６４が挿入されて係合するロックホール７０、７２と、から構成される。
【００４７】
これらロックホール７０、７２は、それぞれ前記第２スライド部材２０が閉じた状態であると、前記ロックボール６４が挿入されて第２スライド部材２０の閉じた状態を維持するように支持する第１ロックホール７０と、前記第２スライド部材２０が幅方向にスライド移動して開いた状態であると、前記ロックボール６４が挿入されて前記第２スライド部材２０の開いた状態を維持するように支持する第２ロックホール７２と、から構成される。
【００４８】
以下、前記のように構成される本発明によるスライドモジュールの作用について説明する。
【００４９】
図８及び図９は、本発明によるスライドモジュールが長手方向に移動する時の作動状態図である。
【００５０】
まず、スライドモジュールが長手方向に摺動する動作について説明すると、前記第１スライド部材１０が長手方向に移動すると、該第１スライド部材１０の第１スライドレール１６が前記ガイド部材３０の第１ガイド部３４に沿って摺動する。
【００５１】
この時、前記第２スライド部材２０の第２スライドレール２６に形成された通路部４２を前記第１スライドレール１６が通過するので、前記第２スライドレール２６が前記第１スライドレール１６の移動を妨害しない。また、前記第２スライドレール２６の両側端部がそれぞれ前記第１スライドレール１６の内側に係合するために、前記第１スライド部材１０が長手方向に摺動する時に前記第２スライド部材２０が幅方向に移動することを制限する。
【００５２】
図１０及び図１１は、本発明によるスライドモジュールが幅方向に移動する時の作動状態図である。
【００５３】
スライドモジュールが幅方向に移動する動作について説明すると、前記第２スライド部材２０が幅方向に移動すると、前記第２スライドレール２６が前記ガイド部材３０の幅方向に形成された第２ガイド部３６に沿って摺動する。
【００５４】
この時、前記第１スライドレール１６に形成された通路部４０及びガイド部材３０に形成された通路部３８を前記第２スライドレール２６が通過する。
【００５５】
また、前記第１スライドレール１６の両側端部がそれぞれ第２スライドレール２６の内側に係合するために、前記第２スライド部材２０が幅方向に摺動する時に前記第１スライド部材１０が長手方向に移動することを制限する。
【００５６】
本発明の課題は、スライドモジュールが長手方向と幅方向に移動し得るスライドモジュール及びそのスライドモジュールを有する携帯端末機を提供することである。
【００５７】
本発明によるスライドモジュールは、長手方向に移動する第１スライド部材と、幅方向に移動する第２スライド部材と、前記第１スライド部材と第２スライド部材間に配置され、前記第１スライド部材が長手方向に移動するようにガイドし、前記第２スライド部材が幅方向に移動するようにガイドするガイド部材と、から構成されることを特徴とする。
【００５８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００５９】
【図１】本発明による携帯端末機の長手方向に開いた状態を示す斜視図である。
【図２】本発明による携帯端末機が幅方向に開いた状態を示す斜視図である。
【図３】本発明によるスライドモジュールの斜視図である。
【図４】本発明によるスライドモジュールの分解斜視図である。
【図５】図３のＩＶ−ＩＶ線断面図である。
【図６】図３のＶ−Ｖ線断面図である。
【図７】本発明によるロック部の断面図である。
【図８】本発明によるスライドモジュールが長手方向に移動する時の作動状態図である。
【図９】本発明によるスライドモジュールが長手方向に移動する時の作動状態図である。
【図１０】本発明によるスライドモジュールが幅方向に移動する時の作動状態図である。
【図１１】本発明によるスライドモジュールが幅方向に移動する時の作動状態図である。
【図１２】従来のスライドモジュールの正面図である。
【符号の説明】
【００６０】
１０：第１スライド部材
１６：第１スライドレール
２０：第２スライド部材
２６：第２スライドレール
３０：ガイド部材
３４：第１ガイド部
３６：第２ガイド部
３８、４０、４２：通路部
４４：スプリングユニット
５２：ガイド部
５４：ガイドレール
５６：ガイドローラ
６０：ロック部
【図１】
0004489745.tif 000002
【図２】
0004489745.tif 000003
【図３】
0004489745.tif 000004
【図４】
0004489745.tif 000005
【図５】
0004489745.tif 000006
【図６】
0004489745.tif 000007
【図７】
0004489745.tif 000008
【図８】
0004489745.tif 000009
【図９】
0004489745.tif 000010
【図１０】
0004489745.tif 000011
【図１１】
0004489745.tif 000012
【図１２】
0004489745.tif 000013